(57)【要約】【課題】屋外に簡易に設置でき、かつ排煙効率のよい喫煙ルームを提供する。【解決手段】床面に箱形の骨組２を立設し、骨組２の側面に側面パネル２０を設けると共に、上面に天井パネル４０を設けてなる構造体であって、骨組２には側面の室外側に側面パネル２０とその上方に設けられる透明パネル２１とからなる壁面ユニット３と、引戸３０の周囲に側面パネル２０と透明パネル２１を設けてなる出入口ユニット４とを固定すると共に、上面の室外側に排煙用開口部４１を備えた天井パネル４０に排煙設備４２を連結してなる天井ユニット５を固定し、側面パネル２０は下方部に吸気用開口部２２を有し、吸気用開口部２２から吸引された外気が排煙用開口部４１から排出される。【選択図】図１
2005220692.tif 000002
【特許請求の範囲】
【請求項１】
骨組の側面に側面パネルを設けると共に、上面に天井パネルを設けてなる箱形の構造体であって、
上記天井パネルは排煙用開口部を備え、上記側面パネルは下方部に吸気用開口部を有し、該吸気用開口部から吸引された外気が上記排煙用開口部から排出されることを特徴とする喫煙ルーム。
【請求項２】
箱形に構成された骨組に対しその側面に側面パネルを設けると共に、上面に天井パネルを設けてなる構造体であって、
上記骨組には側面の室外側に側面パネルとその上方に設けられる透明パネルとからなる壁面ユニットと、引戸の周囲に上記側面パネルと透明パネルを設けてなる出入口ユニットとを設けると共に、上面の室外側に排煙用開口部を備えた天井パネルに排煙設備を連結してなる天井ユニットを設け、
上記側面パネルは下方部に吸気用開口部を有し、該吸気用開口部から吸引された外気が上記排煙用開口部から排出されることを特徴とする喫煙ルーム。
【請求項３】
上記吸気用開口部は上記構造体において対向する上記側面パネルにそれぞれ設けられていることを特徴とする請求項１または２記載の喫煙ルーム。
【請求項４】
上記吸気用開口部は対向する上記各壁面ユニットに設けられる側面パネルの互いに対角となる位置にそれぞれ配置され、上記排煙用開口部は上記天井パネルの中央部付近に配置されていることを特徴とする請求項３記載の喫煙ルーム。
【請求項５】
上記側面パネルは下面に溝部を備え、該溝部と上記床面の間に上記側面パネルの長手方向長さよりも短い長さに渡ってシール部材を設けて、上記吸気用開口部を形成することを特徴とする請求項１〜４のいずれか１項に記載の喫煙ルーム。
【請求項６】
上記側面パネルは上記構造体の上下方向中間部に中間開口部を有し、該中間開口部及び上記吸気用開口部から吸引された外気が上記排煙用開口部から排出されることを特徴とする請求項１〜５のいずれか１項に記載の喫煙ルーム。
【発明の詳細な説明】
【技術分野】
【０００１】
本発明は駅のホーム等に設置され外周面にパネルを取付けた箱形の家屋からなる喫煙ルームに関し、特に当該箱形の家屋に排煙設備を設けてなる喫煙ルームに関する。
【背景技術】
【０００２】
近年、公共スペースにおける禁煙化が進められており、喫煙スペース以外での喫煙は禁じられていることが多い。喫煙スペースは、できるだけ分煙化することが望ましいので、仕切を設けて喫煙ルームを形成し、その中に排煙設備を設けることで他のスペースに影響しないように煙を排出するものが知られている。例えば、特許文献１や特許文献２に示すようなものがある。
【特許文献１】特開２０００−１３６６４４号公報
【特許文献２】特開２００１−１８０５９６号公報
【発明の開示】
【発明が解決しようとする課題】
【０００３】
しかし、従来の喫煙ルームは以下に述べる問題点を有していた。
従来の喫煙ルームは、特許文献１や特許文献２のように主に屋内に設置されることが前提であった。そのため、屋外に設置する喫煙ルームについては、その施工技術が十分に確立されていない。例えば駅のホームも公共スペースであり、原則としては禁煙とされ、限定された一部の場所を喫煙スペースとしていることが多い。ここで、駅のホームには屋根が設置されている場合もあるものの、基本的には屋外であることから、特に新幹線のホームなどには待合室として家屋が設けられる。この家屋を、中に灰皿等を設置して喫煙スペースとして用いる場合に、簡易に設置でき、しかも排煙効率のよい構造とすることが望まれている。
【０００４】
本発明は、上記問題点を解決すべくなされたものであり、屋外に簡易に設置でき、かつ排煙効率のよい喫煙ルームを提供することを目的とする。
【課題を解決するための手段】
【０００５】
上記課題を解決するため、本発明に係る喫煙ルームは、箱形の骨組の側面に側面パネルを設けると共に、上面に天井パネルを設けてなる構造体であって、
上記天井パネルは排煙用開口部を備え、上記側面パネルは下方部に吸気用開口部を有し、該吸気用開口部から吸引された外気が上記排煙用開口部から排出されることを特徴として構成されている。
【０００６】
また、本発明に係る喫煙ルームは、箱形に構成された骨組に対しその側面に側面パネルを設けると共に、上面に天井パネルを設けてなる構造体であって、
上記骨組には側面の室外側に側面パネルとその上方に設けられる透明パネルとからなる壁面ユニットと、引戸の周囲に上記側面パネルと透明パネルを設けてなる出入口ユニットとを設けると共に、上面の室外側に排煙用開口部を備えた天井パネルに排煙設備を連結してなる天井ユニットを設け、
上記側面パネルは下方部に吸気用開口部を有し、該吸気用開口部から吸引された外気が上記排煙用開口部から排出されることを特徴として構成されている。
【０００７】
さらに、本発明に係る喫煙ルームは、上記吸気用開口部は上記構造体において対向する上記側面パネルにそれぞれ設けられていることを特徴として構成されている。
【０００８】
さらにまた、本発明に係る喫煙ルームは、上記吸気用開口部は対向する上記各壁面ユニットに設けられる側面パネルの互いに対角となる位置にそれぞれ配置され、上記排煙用開口部は上記天井パネルの中央部付近に配置されていることを特徴として構成されている。
【０００９】
そして、本発明に係る喫煙ルームは、上記側面パネルは下面に溝部を備え、該溝部と上記床面の間に上記側面パネルの長手方向長さよりも短い長さに渡ってシール部材を設けて、上記吸気用開口部を形成することを特徴として構成されている。
【００１０】
また、本発明に係る喫煙ルームは、上記側面パネルは上記構造体の上下方向中間部に中間開口部を有し、該中間開口部及び上記吸気用開口部から吸引された外気が上記排煙用開口部から排出されることを特徴として構成されている。
【発明の効果】
【００１１】
本発明に係る喫煙ルームによれば、側面パネル下部の吸気用開口部から外気を取り入れ、天井パネルの排煙用開口部から排気するので、喫煙ルーム内における煙草の煙を効率よく排出することができる。また、排煙用開口部を有した天井パネルや吸気用開口部を有した側面パネルをそれぞれ骨組に取付けるようにしたので、施工を容易にすることができる。
【００１２】
また、本発明に係る喫煙ルームによれば、骨組の室外側に壁面ユニットや出入口ユニット及び天井パネルを固定するようにしたので、容易に組立てることができると共に、骨組が室外側に直接露出しないので、見栄えのよい喫煙ルームとすることができる。
【００１３】
さらに、本発明に係る喫煙ルームによれば、吸気用開口部は互いに対向する側面パネルにそれぞれ設けられているので、室内に対向流を生じさせて効率よく排煙を行うことができる。
【００１４】
さらにまた、本発明に係る喫煙ルームによれば、吸気用開口部は対向する各側面パネルの互いに対角となる位置にそれぞれ設けたことにより、吸気用開口部から取り込まれた外気は、室内において側面パネルに沿った対称な空気流を生じさせ、天井パネルの排煙用開口部への内向斜気流（旋風）を形成することにより、喫煙ルームの全域に渡って排煙効率をよくすることができ、特に隅部に空気のよどみができにくいようにすることができる。
【００１５】
そして、本発明に係る喫煙ルームによれば、側面パネルの下面に溝部を設け、床面との間に側面パネルの長手方向長さよりも短い長さに渡ってシール部材を設けて吸気用開口部を形成することにより、床面と側面パネルの間を必要な部分だけ吸気用開口部とし、それ以外の部分は外気が入らないようにシールすることができるので、取り込む外気の流速を確保することができ、煙草の煙を効率よく排気することができる。
【００１６】
また、本発明に係る喫煙ルームによれば、側面パネルは中間開口部を有し、そこからも外気が吸引されることにより、発煙部となる灰皿や、喫煙者の高さ近くに直接外気を取り込むことができるので、よどみなく煙を排出することができると共に、排煙のための流量の確保も容易にすることができる。
【発明を実施するための最良の形態】
【００１７】
本発明の実施形態について図面に沿って詳細に説明する。この喫煙ルーム１は、屋外に設置されることを前提としており、特に本実施形態では駅のホームに設置されるものとする。ただし、設置できるのは駅のホームには限られず、空港や病院など公共のスペースをはじめ、様々な場所に設置することができる。図１は本実施形態における喫煙ルーム１の斜視図である。また、図２は喫煙ルーム１の正面図、図３は喫煙ルーム１の側面図、図４は喫煙ルーム１の平面図である。これら各図において本実施形態における喫煙ルーム１は、駅のホームの床面に支柱１０を複数立設し、この支柱１０を梁１１で連結することで骨組２を形成し、その骨組２の室外側に側面パネル２０や天井パネル４０などのパネルを固定することで、箱形の構造体としてなるものである。
【００１８】
骨組２の構成についてより詳細に説明する。図４に示すように、支柱１０は、床面に対して長方形状となるように配置され、長手方向にはそれぞれ４本ずつ配置される。支柱１０はその下面において床面に対しボルト等によってしっかりと固定される。また、支柱１０間にはそれぞれ梁１１が設けられる。梁１１は、支柱１０をその上部において長手方向及び短手方向のいずれにも連結する。これら支柱１０や梁１１は、いずれも鉄骨にて構成される。ただし、骨組２としての強度を確保できる材料であれば他の金属等を用いてもよい。
【００１９】
このように形成された骨組２に対して、その長手方向の側面には壁面ユニット３を設ける。壁面ユニット３は、下部の側面パネル２０と、その上部の透明パネル２１とからなっており、骨組２の支柱１０間を室外側から覆うように固定される。側面パネル２０としてはアルミパネルを用い、また透明パネル２１としてはガラスを用いる。ただし、他の材料からなるものでもよく、側面パネル２０には金属材や樹脂材等を用いることができ、透明パネル２１にはアクリル等を用いることができる。
【００２０】
図２に示すように、壁面ユニット３の側面パネル２０は、骨組２の長手方向略全長に渡る１枚のパネルで構成している。図５には側面パネル２０の下部における断面図を示す。この図に示すように側面パネル２０は、その下部に断面Ｌ字状の固定部材２５を設け、固定部材２５のそれぞれの面を側面パネル２０と支柱１０にボルト２６で固定することにより、側面パネル２０を支柱１０に固定することができる。また、側面パネル２０の上部においても、同様に固定部材２５を用いて支柱１０に対して固定する。このようにして各支柱１０について固定することにより、側面パネル２０を骨組２の側面に固定することができる。
【００２１】
透明パネル２１は、骨組２の長手方向において、支柱１０間にそれぞれ２枚ずつ設けられる。各透明パネル２１は、下部は側面パネル２０の上面に形成された上溝部に差し込まれる。上溝部に側面パネル２０を差し込んだら、シリコーン等からなるシール材によって隙間を埋めて、気密性や水密性を確保する。透明パネル２１の側部は一方を支柱１０に固定し、もう一方は反対側の支柱１０に固定された透明パネル２１と突き合わされ、間に天井パネル４０から側面パネル２０に渡るリブ２７を介して互いに固定される。ここで、リブ２７を介することなく、透明パネル２１同士を直接突き合わせて、シール材で間を埋めるようにしてもよい。透明パネル２１の上部は骨組２の上面に設けられる天井パネル６の下面に形成された溝部に差し込まれる。この部分にも、シール材を設けて気密性や水密性を確保する。
【００２２】
また、骨組２の短手方向の側面には、それぞれ出入口ユニット４を設ける。図３に示すように、出入口ユニット４には、喫煙ルーム１の人の出入りが可能となるように引戸３０が設けられる。引戸３０は、その略全面が透明なガラスで形成される。引戸３０の上部には引戸３０を走行自在に支持するレール部材３１が設けられる。閉じた状態の引戸３０が配置される部分以外には、側面パネル２０が設けられ、それぞれ固定部材２５により支柱１０に対して固定する。また、側面パネル２０の上方には、壁面ユニット３と同様に透明パネル２１が設けられる。
【００２３】
出入口ユニット４の透明パネル２１は、レール部材３１よりも室外側に設けられ、壁面ユニット３の透明パネル２１と同様に側面パネル２０と天井パネル４０の各溝部に差し込まれ、シール材を設けた上で固定される。そして、各透明パネル２１の端部には、それぞれ床面から天井パネル４０に渡る補強材３２が設けられ、透明パネル２１端部における強度を確保している。さらに、補強材３２間にはレール部材３１と略同じ高さに横桟３３が設けられ、各補強材３２、３２、横桟３３、及び天井パネル４０に囲まれた領域にも、透明パネル２１を設ける。なお、透明パネル２１はレール部材３１よりも室外側にあることから、レール部材３１に案内される引戸３０は、開いた際には透明パネル２１と骨組２の隙間に納められることになる。
【００２４】
壁面ユニット３及び出入口ユニット４は透明でない側面パネル２０の上方に透明パネル２１を設けてなることにより、ガラス等の割れやすい材料により構成される透明パネル２１が足元付近には配置されないので、誤って透明パネル２１を破損させることを少なくすることができる。また、喫煙ルーム１内の足元から腰部にかけて室外側から直接見えないようにすることができ、喫煙ルーム１内の人に安心感を与えることができる。なお、壁面ユニット３や出入口ユニット４としては、側面パネル２０の上方に透明パネル２１を設ける構造だけでなく、全面を透明パネル２１で構成した上で、その下部における室内外面にそれぞれ側面パネル２０を設けるような構造としてもよい。
【００２５】
また、骨組２の上面には天井ユニット５を設ける。天井ユニット５は、天井パネル４０と、天井パネル４０に設けられた排煙用開口部４１に連結された排煙設備４２とからなっており、骨組２の室外側から取付けられる。天井パネル４０は、骨組２の梁１１に対して数カ所でボルト止めにより固定される。
【００２６】
天井パネル４０には、図４に示すように中央部に４つの排煙用開口部４１が設けられる。さらに天井パネル４０の上部には排煙用開口部４１からダクト４３を介して排煙設備４２が設けられている。排煙設備４２には換気扇等が内蔵されており、喫煙ルーム１内の空気を排煙用開口部４１を介して吸引することができる。喫煙ルーム１から吸引した空気には煙草の煙等が含まれているので、ホームのその他の場所に影響を及ぼさないように、屋外に排出させる。
【００２７】
喫煙ルーム１の組立てに際しては、まず床面に骨組２を立設する。次にこの骨組２の側面に対して壁面ユニット３及び出入口ユニット４を室外側から固定する。ここで、壁面ユニット３及び出入口ユニット４は、あらかじめ組立てた状態で骨組２に対して固定する。ただし、側面パネル２０や透明パネル２１をそれぞれ別々に骨組２に対して固定するようにしてもよい。骨組２に壁面ユニット３及び出入口ユニット４を固定したら、骨組２の室外側から天井ユニット５を固定する。この際に、壁面ユニット３及び出入口ユニット４の透明パネル２１の上端部を、天井パネル４０の溝部に差し込んでシール材を設けた上で固定する。このように、本実施形態における喫煙ルーム１は、骨組２に対して室外側から壁面ユニット３と出入口ユニット４及び天井ユニット５を取付けることができるので、容易に施工することができる。
【００２８】
ここで、喫煙ルーム１には内部の空気を換気するために、外気を取り込み、それを排出する構造が採用されている。空気を排出する機構については、上述したように天井ユニット５の排煙用開口部４１を介して排煙設備４２を設けることで実現している。一方で外気を喫煙ルーム１内に取り込む構造が必要となる。この外気を取り込むための構造について詳細に説明する。
【００２９】
図５の断面図に示すように、壁面ユニット３における側面パネル２０の下部と床面の間には隙間が設けられている。側面パネル２０の下面には溝部２０ａが形成されており、この溝部２０ａと床面の間にシール部２３を設けることによって、この隙間から空気が入らないようにシールしている。一方で、図１に示すようにこのシール部２３は側面パネル２０の長手方向または短手方向の全長に渡って設けるのではなく、一部シールしない領域を設けることで、側面パネル２０の下方部に吸気用開口部２２を形成している。この吸気用開口部２２から外気を取り込み、天井ユニット５の排煙設備４２から喫煙ルーム１内の空気を排出することにより、喫煙ルーム１内を換気することができる。
【００３０】
また、この吸気用開口部２２は、図４に示すように、対向する側面パネル２０にそれぞれ配置しており、かつ対角となる位置に設けている。したがって、各吸気用開口部２２から取り込まれた空気は、喫煙ルーム１内においてまず側面パネル２０に沿って流れる。そして、喫煙ルーム１内の空気は天井パネル４０の排煙用開口部４１から常時排出されているので、その流れがらせん状に上昇し、結果として喫煙ルーム１に内向斜気流を生じさせる。このように吸気用開口部２２を配置して、喫煙ルーム１内に内向斜気流を生じさせていることにより、喫煙ルーム１の隅部にまで空気の流れが行き渡るので、喫煙ルーム１の全域に渡って排煙効率をよくすることができる。
【００３１】
側面パネル２０には、下方部に設ける吸気用開口部２２の他に、喫煙ルーム１の上下方向中間位置に中間開口部２４を形成してある。図１に示すように、中間開口部２４は壁面ユニット３を構成する側面パネル２０のみに設けられ、出入口ユニット４を構成する側面パネル２０には設けられない。ただし、出入口ユニット４を構成する側面パネル２０にも中間開口部２４を設けるようにしてもよい。この中間開口部２４と上記吸気用開口部２２の両方から外気を取り込み、天井パネル４０の排煙用開口部４１から空気を排出することで、喫煙ルーム１内を換気する。中間開口部２４を側面パネル２０に設けたことにより、喫煙ルーム１内で発煙部となる灰皿や喫煙者の高さ近くで、外気を取り込むことができるので、よどみなく煙を排出することができると共に、排煙のための流量の確保も容易にすることができる。
【００３２】
また、図６には壁面ユニット４の断面図について示している。図６では、側面パネル２０の右側が室外側であり、左側が室内側である。この図に示すように、中間開口部２４は側面パネル２０に対し室外側から室内側にかけて斜め上方を向くように形成されている。これにより、中間開口部２４を介して室外側から室内側が直接見えることのないようにしている。
【００３３】
以上、本発明の実施形態について説明したが、本発明の適用は本実施形態には限られず、その技術的思想の範囲内において様々に適用されうるものである。まず、喫煙ルーム１の大きさについては、本実施形態より小さいものであっても、大きいものであっても、それぞれ本発明の適用は可能である。骨組２を構成する支柱１０や梁１１の本数は、喫煙ルーム１の大きさに応じて様々に設定することができ、側面パネル２０や天井パネル４０は、本実施形態ではそれぞれ１枚を設けるようにしているが、喫煙ルーム１が大きければ、それらを分割して骨組２に対して固定するようにしてもよい。
【００３４】
また、本実施形態ではシール部２３を側面パネル２０の長手方向長さよりも短い長さに渡って設けることにより、吸気用開口部２２を形成しているが、吸気用開口部２２は側面パネル２０の下方部に形成されていればよく、したがって例えばシール部２３は側面パネル２０の長手方向全長に渡って設け、側面パネル２０の下部にシール部２３とは別に吸気用開口部２２を形成するようにしてもよい。さらに、本実施形態では排煙用開口部４１が天井パネル４０の中央部付近に円形状に４個所配置されている。しかし、排煙用開口部４１の配置及び数はこれに限られず、天井パネル４０の中央部付近に配置して、所定の排気能力を発揮できるように設けられていればよい。
【００３５】
さらに、本実施形態では吸気用開口部２２を喫煙ルーム１の長手方向となる壁面ユニット３の下部に設けているが、吸気用開口部２２は喫煙ルーム１の短手方向となる出入口ユニット４の下部にも併せて設けることができる。ここで、出入口ユニット４の下部に設ける吸気用開口部２２についても、側面パネル２０の互いに対角となる位置に設けることにより、内向斜気流を生じさせることができる。
【図面の簡単な説明】
【００３６】
【図１】本実施形態における喫煙ルームの斜視図である。
【図２】喫煙ルームの正面図である。
【図３】喫煙ルームの側面図である。
【図４】喫煙ルームの天井ユニットを取付けていない状態における平面図である。
【図５】骨組と壁面ユニットの下部における断面図である。
【図６】側面パネルの断面図である。
【符号の説明】
【００３７】
１    喫煙ルーム
２    骨組
３    壁面ユニット
４    出入口ユニット
５    天井ユニット
１０    支柱
１１    梁
２０    側面パネル
２０ａ  溝部
２１    透明パネル
２２    吸気用開口部
２３    シール部
２４    中間開口部
３０    引戸
４０    天井パネル
４１    排煙用開口部
４２    排煙設備
【図１】
2005220692.tif 000003
【図２】
2005220692.tif 000004
【図３】
2005220692.tif 000005
【図４】
2005220692.tif 000006
【図５】
2005220692.tif 000007
【図６】
2005220692.tif 000008